(57)【要約】【課題】  目的とするモードを設定するＬＣＤ表示画面に達するまでに相当の時間と操作を要することとなり、分かり易いと考えて親切丁寧に作成したＬＣＤ表示画面が逆に不便なものとなってしまう。【解決手段】  複数のドットにより表現される像を表示するための表示手段と、上記表示手段の表地面側に配置され、表示手段に表示された像に応じて操作することで操作された位置情報を出力するためのタッチパネル手段と、上記タッチパネル手段から出力された位置情報と上記表示手段に表示されている像との関係に基づいて、操作された指示の内容を確定する指示内容確定手段とからなる入力装置において、上記表示手段に表示される像は該入力装置を備えた機器の外観図であって、該表示部に表示された機器の外観図の一部を上記タッチパネル手段を介して操作することにより、操作された機器の外観図の一部を構成する部分の動作に関する設定を行う表示画面へと表示手段を切り換える切り換え手段を備えている。【選択図】図５
2005065307.tif 000002
【特許請求の範囲】
【請求項１】
像を表示するための表示手段と、
上記表示手段の表示面側に配置され、該表示手段に表示された像に応じて操作することで操作された位置情報を出力するためのタッチパネル手段と、
上記タッチパネル手段から出力された位置情報と上記表示手段に表示されている像との関係に基づいて、操作された指示の内容を確定する指示内容確定手段と、
機器の一部の動作に関する指示を入力する動作指示入力手段とからなる画像形成装置の入力装置において、
上記表示手段に表示される像は上記入力装置を備えた機器の外観図であって該表示手段に表示された機器の外観図の一部を上記タッチパネル手段を介して操作するか、あるいは前記動作指示入力手段を操作するかのいずれかの場合に、操作された機器の一部を構成する部分の外観図は引き続き表示されると共に、その他の表示領域の表示を、機器の一部の動作に関する設定を行う表示へと切り換える切り換え手段と、
上記表示手段に表示されている機器の一部の動作に関する設定が行われると、設定されたモードを示すアイコンを表示手段に表示されている機器の一部の外観図内に表示される表示設定手段とを備えたことを特徴とする入力装置。
【請求項２】
像を表示するための表示手段と、
機器の一部の動作に関する指示を入力する動作指示入力手段とからなる画像形成装置の入力装置において、
上記表示手段に表示される像は上記入力装置を備えた機器の外観図であって、前記動作指示入力手段を操作した場合に、操作された機器の一部に対応する部分の外観図は引き続き表示されると共に、その他の表示領域の表示を、機器の一部の動作に関する設定を行う表示へと切り換える切り換え手段と、
上記表示手段に表示されている機器の一部の動作に関する設定が行われると、設定されたモードを示すアイコンを表示手段に表示されている機器の一部の外観図内に表示される表示設定手段とを備えたことを特徴とする入力装置。
【発明の詳細な説明】
【技術分野】
【０００１】
本発明は、本発明は、各種機器の動作に関する指示を操作者が設定するために設けられた操作入力装置に関する。
【背景技術】
【０００２】
従来より画像形成装置、例えばデジタル複写機においては、スキャナから入力された原稿の画像に対して多彩な画像処理機能の中から選択された処理を行ってプリンタ部から処理後の画像を出力したり、また出力された記録物に対して多彩な後処理を施して編集物として提供することができるシステムが提案されるようになっている。
【０００３】
このようなデジタル複写機の操作パネルは機能が多彩なことから、操作パネル上に配列されたキーの数が多くなり複雑なものとなって操作性の面から見るととても分かり易いものとはいえない状態である。
【０００４】
また、最近のデジタル複写機においては、多くのキーの中でも使用頻度の少ないキーを覆ってしまったり、キーを兼用したりしているがそれでもまだ不十分であって、そこで最近よく用いられるものが、液晶表示部と透明タッチパネルの組み合わせによる入力装置である。
【０００５】
例えば、後述する特許文献１にあるようなものである。ここに記載されている実施例をもとに従来のタッチパネルを備えた複写機における実施技術を簡単に説明すると、ＬＣＤ画面（液晶表示画面）上に複写機の状態、複写動作に関する操作者側からの指示、および操作者に対する複写機側からのメッセージなど多くの情報が表示される。
【０００６】
そしてこれらの情報に基づいて操作者は複写機に対して所望する動作指示を行うようになっている。この時操作者はＬＣＤ画面の上に表示された選択指示ボタン表示の中から所望する動作に関する指示を行うために、ＬＣＤ画面上を軽く触れるとこのＬＣＤ画面上にはタッチパネルが配置されており、ＬＣＤ画面に表示されている選択指示ボタン表示の内容が複写機側に入力される構成となっている。
【０００７】
また、このＬＣＤ画面の表示内容は操作者の指示により、あるいは複写機の動作状態により次々に変化するようになっている。これは、複写機の状憶に適した表示に順次切り換えることで、複写機の現在の状況に関係ない指示ボタン表示を極力表示させないようにすることで、複写機を利用する人が多彩な処理能力を備えた複写機であっても簡単に操作できるようにするねらいがある。
【特許文献１】特開平６−３５２８２号公報
【発明の開示】
【発明が解決しようとする課題】
【０００８】
しかしこのような入力装置を備えた複写機であっても操作性がよくＬＤＥ画面に表示される表示内容も分かり易いといったものはない。
【０００９】
例えば特許文献１に記載されている表示画面をとって見ても、ＬＣＤ画面の限られた表示範囲の中に多くの情報を表示させるがためにＬＣＤ画面の周囲に多くのモード選択ボタン（タッチパネルによる入力）を配置しておき、このモード選択ボタンの操作によりＬＣＤ画面の表示をモードに適した内容に切り換える横成となっているのが普通である。
【００１０】
このような構成にしていると、初めての人であっても選択したいモードをＬＣＤ画面の周囲に配置されたモード選択ボタンの中から選択して、あとは複写機側が対話式に表示を切り換えながら操作者が所望するモードを選択させることができる。
【００１１】
しかし複写機をよく理解している人にとってみれば、目的とするモードを設定するＬＣＤ表示画面に達するまでに相当の時間と操作を要することとなり、分かり易いと考えて親切丁寧に作成したＬＣＤ表示画面が逆に不便なものとなってしまう。
【００１２】
さらにまた他の問題として、ＬＣＤ表示画面が順次切り換わることで前のＬＣＤ表示画面において設定した複写モードの内容が分からなくなるといった大きな問題も発生している。そのために操作者はＬＣＤの表示画面をもとの画面に戻して確認したりしなければならず、複写モードの設定だけに不要な時間を要している。
【００１３】
さらに、操作部からの指示によりＬＣＤ画面の内容を切り換えるたびに前の表示画面内容と全く異なった表示内容がＬＣＤ画面に表示され、画面が切り替わるたびに操作者は表示内容をすべて見渡してから表示内容を理解して次の操作を行っている。そのためにメーカ側が分かり易く画面を設定したつもりでも利用する操作者側に立ってみれば、まだまだ完璧な操作性の入力装置とはいえないのが現状である。
【００１４】
そこで本発明においては、機器に対する指示を入力するための表示部とタッチパネルなどから構成される操作部において、機器を使いなれていない人であっても、また機器を使いなれた人であっても理解しやすくまた所望する機器への指示が簡単な操作で行える入力装置を提供するものである。
【００１５】
また、表示画面が操作者の指示により順次切り換わったとしても、操作者が指示したモードがいつでも確認できて、さらに画面が切り替わる毎に操作者の視点を不用意に変化させず理解しやすい入力装置を提供することを目的としている。
【課題を解決するための手段】
【００１６】
本発明は、像を表示するための表示手段と、上記表示手段の表示面側に配置され、該表示手段に表示された像に応じて操作することで操作された位置情報を出力するためのタッチパネル手段と、上記タッチパネル手段から出力された位置情報と上記表示手段に表示されている像との関係に基づいて、操作された指示の内容を確定する指示内容確定手段と、機器の一部の動作に関する指示を入力する動作指示入力手段とからなる画像形成装置の入力装置において、上記表示手段に表示される像は上記入力装置を備えた機器の外観図であって該表示手段に表示された機器の外観図の一部を上記タッチパネル手段を介して操作するか、あるいは前記動作指示入力手段を操作するかのいずれかの場合に、操作された機器の一部を構成する部分の外観図は引き続き表示されると共に、その他の表示領域の表示を、機器の一部の動作に関する設定を行う表示へと切り換える切り換え手段と、上記表示手段に表示されている機器の一部の動作に関する設定が行われると、設定されたモードを示すアイコンを表示手段に表示されている機器の一部の外観図内に表示される表示設定手段とを備えたことを特徴とする。
【００１７】
また、本発明は、像を表示するための表示手段と、機器の一部の動作に関する指示を入力する動作指示入力手段とからなる画像形成装置の入力装置において、上記表示手段に表示される像は上記入力装置を備えた機器の外観図であって、前記動作指示入力手段を操作した場合に、操作された機器の一部に対応する部分の外観図は引き続き表示されると共に、その他の表示領域の表示を、機器の一部の動作に関する設定を行う表示へと切り換える切り換え手段と、上記表示手段に表示されている機器の一部の動作に関する設定が行われると、設定されたモードを示すアイコンを表示手段に表示されている機器の一部の外観図内に表示される表示設定手段とを備えたことを特徴とする。
【発明の効果】
【００１８】
以上説明したように本発明の入力装置によれば、操作者は、実際の機器構成と照らし合わせて、操作及びモード設定状態を視覚的に捉える事ができ、また、自らの設定に対して表示で反応がかえってくる事から、設定が確かに受け付けられた事を視覚的に確認できる。
【００１９】
そしてさらに画面が遷移しても、自らの設定を視点移動無しに確認し続ける事ができ、前画面での自分の設定が確かに維持されている事を視覚的に確認できる。これらにより操作者は、画面の動きの多いタッチパネル方式の操作において不安感を覚える事がなく容易に機器の操作設定が可能となる。
【発明を実施するための最良の形態】
【００２０】
本発明における入力装置を備えた複写機について、以下図面を参照して説明する。
【００２１】
まず本発明における複写機は、例えば複写モード、プリンタモード、ファックスモード等を有するデジタル画像形成装置であって、図１はデジタル画像形成装置における操作パネルに設けられたタッチパネルと液晶表示部からなる入力装置を表したものであり、図２は本発明における上記入力装置を含む操作パネルを備えたデジタル画像形成装置の全体構成を示す断面図である。
【００２２】
まず図２において、デジタル画像形成装置について説明しておく。この画像形成装置はデジタル複写機３０であり、該デジタル複写機３０本体は大きく分けてスキャナ部３１と、レーザ記録部３２から構成されている。
【００２３】
スキャナ部３１は透明ガラスからなる原稿載置台３５、原稿載置台３５上へ自動的に原稿を供給搬送するための両面対応自動原稿送り装置（ＲＡＤＦ）３６、及び原稿載置台３５上に載置された原稿の画像を走査して読み取るための原稿画像読み取りユニット、すなわちスキャナユニット４０から横成されている。
【００２４】
このスキャナ部３１にて読み取られた原稿画像は、画像データとして後述する画像データ入力部へと送られ、画像データに対して所定の画像処理が施される。
【００２５】
上記ＲＡＤＦ３６には、備えられた図示しない原稿トレイ上に複写枚の原稿を一度にセットしておき、セットされた原稿を１枚ずつ自動的にスキャナユニットの原稿載置台上へ給送する装置である。またＲＡＤＦ３６は、オペレータの選択に応じて原稿の片面または両面をスキャナユニットに読み取らせるように、片面原稿のための搬送経路、両面原稿のための搬送経路、搬送経路切り換え手段、各部を通過する原稿の状態を把握し管理するセンサー群、および制御部などから構成されている。
【００２６】
原稿載置台３５上の原稿の画像を読み取るためのスキャナ部３１を構成するスキャナユニット４０は、原稿面上を露光するランプリフレクターアセンブリ４１と、原稿からの反射光像を光電変換素子（ＣＣＤ）に導くための原稿からの反射光を反射する第１の反射ミラー４２ａを搭載してなる第１の走査ュニット４０ａ、また第１の反射ミラーユニット４０ａからの反射光像を光電変換素子（ＣＣＤ）に導くための第２、第３反射ミラー４２ｂ、４２ｃを搭載してなる第２の走査ユニット４０ｂ、原稿からの反射光像を上述した各反射ミラーを介して電気的画像信号に変換する素子（ＣＣＤ）上に結像させるための光学レンズ４３、および原稿からの反射光像を電気的画像信号に変換する上述したＣＣＤ素子４４から構成される。
【００２７】
スキャナ部３１は、上記ＲＡＤＦ３６とスキャナユニット４０の関連した動作により、原稿載置台３５上に読み取るべき原稿を順次載置させながら、原稿載置台３５の下面に沿ってスキャナユニット４０を移動させて原稿画像を読み取るように構成されている。
【００２８】
特に第１走査ユニット４０ａは、原稿載置台に沿って左から右へと一定速度Ｖで走行され、また第２走査ユニット４０ｂは、その速度Ｖに対してＶ／２の速度で同一方向に平行に走査制御される。これにより、原稿載置台３５上に載置された原稿の画像を１ライン毎に順次ＣＣＤ素子４４へと結像させて画像を読み取ることとなる。
【００２９】
原稿画像をスキャナユニット４０にて読み取ることにより得られた画像データは、後述する画像処理部へ送られ、各種処理が施された後、画像処理部のメモリに一旦記憶され、出力指示に応じてメモリ内の画像を読み出してレーザープリンター部３２に転送して記録シート上に画像を形成させる。
【００３０】
このレーザープリンター部３２は画像を形成させるための記録材であるシートの搬送系、レーザ書き込みユニット４６、および画像を形成するための電子写真プロセス部４８を備えている。
【００３１】
レーザ書き込みユニット４６は、上述したスキャナユニット４０にて読み取った後のメモリから読み出した画像データ、または外部の装置から転送されてきた画像データに応じてレーザ光を出射する半導体レーザ光源、レーザ光を等角速度偏向するポリゴンミラー、等角速度で偏向されたレーザ光が電子写真プロセス部４８を構成する感光体ドラム上で等角速度で偏向されるように補正するｆ−θレンズなどを有している。
【００３２】
上記電子写真プロセス部４８は、周知である感光体ドラムの周囲に帯電器、現像器、転写器、剥離器、クリーニング器、除電器を備えている。
【００３３】
一方、シートの搬送系は、上述した画像形成を行う電子写真プロセス部の特に転写器が配置された転写位置へとシートＰを搬送する搬送部、該搬送部３３へとシートＰを送り込むためのカセット給紙装置５１、５２または、必要なサイズのシートを適宜給紙するための手差し給紙装置５４、転写後のシートＰに形成された画像、特にトナー像を定着するための定着器４９、定着後のシートＰの裏面に再度画像を形成するためにシートＰを再供給するための再供給経路５３とを備えている。
【００３４】
また、定着器４９の下流側には、画像が記録されたシートＰを受け取り、このシートＰに対して所定の処理を施す後処理装置が配置されている。
【００３５】
レーザ書き込みユニット４６及び電子写真プロセス部４８において、画像メモリから読み出された画像データは、レーザ書き込みユニット４６によってレーザ光線を走査させることにより感光体ドラム４８の表面上に静電潜像として形成され、トナーにより可視像化されたトナー像は多段給紙ユニットのいずれかの給紙部から搬送された用紙の面上に静電転写され定着される。
【００３６】
このようにして画像が形成された用紙は定着器４９から排紙ローラ５７を経由して後処理装置３４内へと搬送される。
【００３７】
（画像処理部の回路説明）
次にこのデジタル複写機１における、読み取られた原稿画像情報に画像処理を行う画像処理部の構成及び機能について説明する。
【００３８】
図３は図２のデジタル複写機１に含まれている画像処理部のブロック図である。このデジタル複写機１に含まれている画像処理部は、画像データ入力部６０、画像処理部６１、画像データ出力部６２、ＲＡＭ（ランダムアクセスメモリ）、ハードディスク等から構成されるメモリ６３及び中央処理装置（ＣＰＵ）６４を備えている。
【００３９】
画像データ入力部６０はＣＣＤ部６０ａ、ヒストグラム処理部６０ｂ及び誤差拡散処理部６０ｃを含んでいる。
【００４０】
画像データ入力部６０はＣＣＤ２−４から読み込まれた原稿の画像データを２値化変換して、２値のデジタル量としてヒストグラムをとりながら、誤差拡散法により画像データを処理して、メモリ４３に一旦記憶するように構成されている。
【００４１】
即ち、ＣＣＤ部６０ａでは、画像データの各画素濃度に応じたアナログ電気信号がＡ／Ｄ変換されたのち、ＭＴＦ補正、白黒補正またはガンマ補正が行われ、２５６階調（８ビット）のデジタル信号としてヒストグラム処理部６０ｂへ出力される。
【００４２】
ヒストグラム処理部６０ｂでは、ＣＣＤ部６０ａから出力されたデジタル信号が２５６階調の画素濃度別に加算され濃度情報（ヒストグラムデータ）が得られるとともに、必要に応じて、得られたヒストグラムデータはＣＰＵ６４へ送られ、又画素データとして誤差拡散処理部６０ｃへ送られる。
【００４３】
誤差拡散処理部６０ｃでは、疑似中間処理の一種である誤差拡散法、すなわち、２値化の誤差を隣接画素の２値化判定に反映させる方法により、ＣＣＤ部６０ａから出力された８ビット／画素のデジタル信号が１ビット（２値化）に変換され、原稿における局所領域濃度を忠実に再現するための再配分演算が行われる。
【００４４】
画像処理部６１は多値化処理部６１ａ及び６１ｂ、合成処理部６１ｃ、濃度変換処理部６１ｄ、変倍処理部６１ｅ、画像プロセス部６１ｆ、誤差拡散処理部６１ｇ並びに圧縮処理部６１ｈを含んでいる。画像処理部６１は、入力された画像データをオペレータが希望する画像データに最終的に変換する処理部であり、メモリ６３に最終的に変換された出力画像データとして記憶されるまでこの処理部にて処理するように構成されている。但し、画像処理部６１に含まれている上述の各処理部は必要に応じて機能するものであり、機能しない場合もある。
【００４５】
即ち、多値化処理部６１ａ及び６１ｂでは、誤差拡散処理部６０ｃで２値化されたデータが再度２５６階調に変換される。
【００４６】
合成処理部６１ｃでは、画素毎の論理演算、即ち、論理和、論理積又は排他的論理和の演算が選択的に行われる。この演算の対象となるデータは、メモリ６３に記憶されている画素データ及びパターンジェネレータ（ＰＧ）からのビットデータである。
【００４７】
濃度変換処理部６１ｄでは、２５６階調のデータ信号に対して、所定の階調変換テーブルに基づいて入力濃度に対する出力濃度の関係が任意に設定される。
【００４８】
変倍処理部６１ｅでは、指示された変倍率に応じて、入力される既知データにより補間処理を行うことによって、変倍後の対象画素に対する画素データ（濃度値）が求められ、副走査が変倍された後に主走査が変倍処理される。
【００４９】
画素プロセス部６１ｆでは、入力された画素データに対して様々な画像処理が行われ、又、特徴抽出等データ列に対する情報収集が行われ得る。
【００５０】
誤差拡散処理部６１ｇでは、画像データ入力部６０の誤差拡散処理部６０ｃと同様な処理が行われる。
【００５１】
圧縮処理部６１ｈでは、ランレングスという符号化により２値データが圧縮される。又、画像データの圧縮に関しては、最終的な出力画像データが完成した時点で最後の処理ループにおいて圧縮が機能する。
【００５２】
画像データ出力部６２は復元部６２ａ、多値化処理部６２ｂ、誤差拡散処理部６２ｃ、及びレーザ出力部６２ｄを含んでいる。
【００５３】
画像データ出力部６２は、圧縮状態でメモリ６３に記憶されている画像データを復元し、もとの２５６階調に再度変換し、２値データより滑らかな中間調表現となる４値データの誤差拡散を行い、レーザ出力部６２ｄへデータを転送するように構成されている。
【００５４】
即ち、復元部６２ａでは、圧縮処理部６１ｈによって圧縮された画像データが復元される。多値化処理部６２ｂでは、画像処理部６１の多値化処理部６１ａ及び６１ｂと同様な処理が行われる。
【００５５】
誤差拡散処理部６２ｃでは、画像データ入力部６０の誤差拡散処理部６０ｃと同様な処理が行われる。レーザ出力部６２ｄでは、図に示していないシーケンスコントロールからの制御信号に基づき、デジタル画素データがレーザのオン／オフ信号に変換され、レーザ書き込みユニット４６における半導体レーザがオン／オフ状態となり、感光体ドラム上に静電潜像が書き込まれる。
【００５６】
尚、画像データ入力部６０および画像データ出力部６２において扱われるデータは、メモリ６３の容量の削減のため、基本的には２値データの形でメモリ６３に記憶されているが、画像データの劣化を考慮して４値のデータの形で処理することも可能である。
【００５７】
（デジタル複写機全体の制御構成の説明）
図４はデジタル複写機３０の装置全体の各部を中央制御ュニット（ＣＰＵ）６４により動作管理している状態を示す図である。
【００５８】
ＣＣＤ２−４、画像データ入力部６０、画像処理部４１、画像データ出力部６２、画像メモリ６３、及び中央制御ユニット（ＣＰＵ）６４は、図３と重複するので説明は省略する。
【００５９】
中央制御ユニット６４は、ＲＡＤＦ３６、スキャナ部３１、レーザープリンター部３２などデジタル複写機３０を構成する各駆動機構部をシーケンス制御により管理すると共に、各部へ制御信号を出力している。
【００６０】
さらに中央処理装置には、操作パネルからなる操作基板ユニット６５が相互通信可能な状態で接続されており、操作者が設定入力した複写モードに応じて制御信号を中央処理ユニット６４に転送してデジタル複写機３０をモードに応じて動作させるようになっている。
【００６１】
また、中央処理ユニット６４からはデジタル複写機の動作状態を示す制御信号を操作基板ユニット６５へと転送して、操作基板ユニット６５側ではこの制御信号により装置が現在どのような状態にあるのか操作者に示すように表示部などにより動作状態を表示するようになっている。
【００６２】
４６はソーターコントロールユニットであり、デジタル複写機３０により出力される複写物を仕分けたりする後処理装置の動作を管理する制御ユニットである。
【００６３】
６７は画像情報、および画像制御信号など他のデジタル画像機器との情報通信を可能にするために設けられた画像データ通信ユニットである。
【００６４】
図５は、デジタル複写機３０における操作パネルを表したものである。
【００６５】
この操作パネルの中央部分には、図１にもあるタッチパネル液晶表示装置６が配置されていて、その周囲にも各種モード設定キー群が配置されている。
【００６６】
このタッチパネル液晶表示装置６の画面上には、常時各種モードを選択するための基本スタート画面が表示されており、必要に応じて所望するモードの指示に関するエリアを指で直接押圧操作すると各種モードが選択指示できるように液晶画面が順次遷移する。
【００６７】
その表示された各種モードの中から、操作者が所望する機能が表示されている領域を指で触れることにより編集機能が設定される。
【００６８】
上記操作パネル上に配置された各種設定キー群について簡単に説明すると、まず液晶表示装置６の略中央部にはデジタル複写機の概観図が表示されており、さらに概観図の下方にはコピー濃度を設定するコピー濃度設定キー７、用紙サイズを設定する用紙サイズ設定キー８、複写倍率を設定する倍率設定キー９が設けられている。
【００６９】
１０は原稿画像を編集する編集モード設定画面に液晶表示画面を遷移させる特別機能モードボタン、１１は両面夜写モードに移行させて処理モードを設定するための設定画面に液晶表示画面を遷移させる両面複写モードキー、１２はソータ・ステープルなどのアウトプットモードの指示画面に液晶表示画面を遷移させるためのキー、１３は現在設定されているモードの内容を確認するための設定確認キーである。
【００７０】
さらに、１４は操作方法などを画面に表示させるための操作ガイドキー、１５は複写枚数などの数値情報を入力するためのテンキー、１６は現在処理中の複写モードに新たな禎写モードを割り込ませて処理させるための割り込みキー、１７はテンキーなどにより入力されている条件をクリアするクリアキー、１８はデジタル複写機の状態をすべてクリアして標準の状態に復帰させるためのオールクリアキー、１９はこれらキーにより設定されたモードにおいて処理の開始を指示するためのスタートキーである。
【００７１】
なお、操作パネル７５の左側に配置された３つのキー群は、上から順にファックスモード、プリンタモード、コピーモードにデジタル複写機を切り換えて動作させるためのモード切り換え手段である。
【００７２】
今回提示した操作パネル及びその操作パネル上に配置される各種キーは、あくまでも１実施例であり、デジタル複写機に搭載される各種機能により操作パネル上に設けられるキーは異なってくることはいうまでもない。
【００７３】
（タッチパネルを備えた入力装置の一実施形態）
図６は、図５において説明したデジタル複写機３４の操作パネル７５の表示部６を詳しくあらわしたものである。
【００７４】
表示部６はドットマトリックスの液晶表示部１００とその表面を覆うように積層配置されたタッチパネル１０１から構成される。
【００７５】
また液晶表示部１００を覆うタッチパネル１０１は、この液晶表示部１００の面積よりも大きいものが採用されており、液晶表示部１００の周囲に印刷された複数のボタン群をも覆い液晶表示部１００に表示されたキー以外にも、この印刷されたボタンを操作指示することも可能である。
【００７６】
以上の構成からなる液晶表示部１００の略中央部には、本発明の操作パネル７５を備えたデジタル複写機３０の外観図１０２が表示されている。
【００７７】
簡単に外観図を説明すると、中央のデジタル複写機本体の外観図１０２を構成する右側部分、および下側部分にはデジタル複写機３０に用紙を供給する給紙装置の外観図が表示されている。
【００７８】
またデジタル穣写機本体の外観図１０２を靖成する左側部分にはデジタル複写機３０から出力された用紙に対してステープルなどの処理を施す後処理装置３４の外観図が表示されている。
【００７９】
以下に液晶表示部１００に表示された画面を確認しながらタッチパネル１０１を操作した際の画面の移り変わりを図を用いて順次説明する。
【００８０】
図６の液晶表示部１００の略中央に表示されたデジタル複写機３０の外観図１０２の一部１０３を操作すると、操作された外観図の位置に対応したデジタル複写機３０のモードの設定画面に移行する。
【００８１】
（両面コピーモード）
例えばデジタル複写機３０の外観図１０２の中央部１０３が操作されると、図６（Ａ）に移行して両面コピーモードの設定画面となる。
【００８２】
なお、この両面コピーモードの設定画面には、液晶表示部１００の周囲左側に印刷された両面コピーのボタンを操作しても移行する。
【００８３】
以下、図７を用いて液晶表示部１００の画面遷移状態を順を追って説明する。
【００８４】
両面コピーモードの設定画面（図７（Ｂ））に移行した液晶表示部１００の略中央には、操作されたデジタル複写機３０の外観図部分１０３がそのまま残り、その他の領域に両面コピーのモードに関する各種設定キーが変わって表示される。
【００８５】
なお、上記の説明では液晶表示部１００の略中央部にはデジタル複写機３０の外観図１０２が表示位置、表示状態を保ったまま、その他の表示領域、すなわち外観図１０３の周囲にモードを細かく設定するキーを表示するように設定しているが、デジタル複写機３０の外観図１０３が多少異なる位置に移動して表示され、残りの表示領域にモードを細かく設定するキーが表示されるようにすることも可能である。
【００８６】
なおこの時は、できるだけ操作者の混乱を招かないように、必要以上に外観図１０３の表示位置が変位しないように、また、同じ表示形態を保つことが望ましい。
【００８７】
ここで簡単に他の領域に表示されたキーを簡単に説明すると、外観図１０３の左側に配置されたキーは片面の原稿から片面のコピーを作成するモードを指示するキー１０５であり、両面コピーモードが指示される前の通常の状態である。
【００８８】
そして、外観図１０３の下側左から偶数枚の片面原稿から両面コピーを作成するモードキー１０６、奇数枚の片面原稿から両面コピーを作成するモードキー１０７、両面原稿から両面コピーを作成するモードキー１０８、両面原稿から両面コピーを作成するモードキー１０９がそれぞれ配置されている。
【００８９】
なお、外観図１０３の右側に配置されたキー１１０は片面の原稿を処理する場合に、原稿の枚数が奇数であるのか偶数であるのかが不明である場合に、自動原稿送り装置にセットされた原稿束の枚数を計数するよう指示するものである。
【００９０】
以上のキーの中（片面→片面モードキー１０５、および原稿カウントキー１１０は除く）から両面のモードが選択されると選ばれた両面モードを表すアイコン１１１がデジタル複写機の外観図１０３内に重ねて表示される（図７（Ｃ））。
【００９１】
この表示されるアイコン１１１も、選択したモードの内容を細かく設定するキー１０６に表示されているアイコン１１１そのものが重ねられるようにしておくことで、操作者の混乱を防止することができる。
【００９２】
なお、上記説明では液晶表示部１００に表示された外観図１０３の周囲に表示された設定キーの中から所望するモード内容を指示すると、外観図１０３の中に設定されたモードを表すアイコン１１１が重ねて表示されるように説明したが、液晶表示部１００に重ねられたタッチパネル１０１による操作に限らず、タッチパネル１０１以外の操作パネル上に配置されたボタンの操作により、液晶表示部１００に表示された外観図１０３内に設定されたモードに関するアイコン１１１を重ねて表示することも可能である。
【００９３】
そして、両面コピーに関するモードの設定が完了すると、液晶表示部に表示されている装置の外観図１０３、および設定されたモードに関するアイコン１１１はそのままの状態で、デジタル複写機３０全体の外観図１０２に表示状憶が復帰する（図７（Ｄ））。
【００９４】
なお、アイコン１１１と共にデジタル複写機３０の外観図１０２が復帰すると述べているが、設定されたモードによっては、アイコン表示するまでもなくデジタル複写機３０全体の外観図１０２に表示を復帰させることも可能である。
【００９５】
また、他の実施例として、両面コピーに関するモードの設定が完了して、デジタル複写機３０全体の外観図１０２が表示される場合に、基本的には同一の場所、すなわち既に表示されている外観図１０３はそのままで、残りの隠れていた残りの外観図が再度表示され、デジタル夜写機３０全体の外観図１０２として再び表示されることが最も望ましいが、違和感を感じない程度に多少表示される位置が変位してもそれは可能である（アウトプットモード）。
【００９６】
次に、デジタル複写機３０の外観図１０２の左側に現されている後処理装置１０４の部分１０４が操作されると、図６（Ｂ）に移行してアウトプットモードの設定画面となる。
【００９７】
なお、このアウトプットモードの設定画面には、液晶表示部１００の周囲左側に印刷されたソーター／ステ←プルのボタンを操作しても移行する。
【００９８】
以下、図８を用いて液晶表示部１００の画面遷移状態を順を追って説明する。
【００９９】
アウトプットモードの設定画面（図８（Ｂ））に移行した液晶表示部１００の略左側には、操作された後処理装置３４の概観図部分１１２がそのまま残り、その他の領域にアウトプットモードに関する各種設定キーが変わって表示される。
【０１００】
なお、上記の説明では液晶表示部１００の略左側には後処理装置３４の外観図１１２が表示位置、表示状態を保ったまま、その他の表示領域、すなわち外観図１１２の右側にモードを細かく設定するキーを表示するように設定しているが、後処理装置３４の外観図１１２が多少異なる位置に移動して表示され、残りの表示領域にモードを細かく設定するキーが表示されるようにすることも可能である。
【０１０１】
なおこの時は、できるだけ操作者の混乱を招かないように、必要以上に外観図１１２の表示位置が変位しないように、また、同じ表示形態を保つことが望ましい。
【０１０２】
ここで簡単に他の領域に表示されたキーを簡単に説明すると、外観図１１２の右側に配置されたキーは、左側から順番にデジタル複写機３０から出力される用紙を順次仕分けるソートモードキー１１３、排出された複数の用紙を束ねるステープルモードキー１１４、デジタル複写機３０から出力される用紙を原稿群毎にずらした形で仕分けるオフセットモードキー１１５である。
【０１０３】
以上のキーの中からアウトプットのモードが選択されると選ばれたアウトプットモードを表すアイニン１１６、１１７、１１８がデジタル複写機の外観図１１２内に重ねて表示される（図８（Ｂ）もしくは図８（Ｃ））。
【０１０４】
この表示されるアイコン１１６、１１７、１１８も、選択したモードの内容を細かく設定するキー１１３、１１４、１１５に表示されているアイコン１１６、１１７、１１８そのものが重ねられるようにしておくことで、操作者の混乱を防止することができる。
【０１０５】
なお、上記説明では液晶表示部１００に表示された外観図１１２の右側に表示された設定キーの中から所望するモード内容を指示すると、外観図１１２の中に設定されたモードを表すアイコン１１６、１１７、１１８が重ねて表示されるように説明したが、液晶表示部に重ねられたタッチパネル１０１による操作に限らず、タッチパネル１０１以外の操作パネル上に配置されたボタンの操作により、液晶表示部１００に表示された外観図１１２内に設定されたモードに関するアイコン１１６、１１７、１１８を重ねて表示することも可能である。
【０１０６】
さらに、概観図１１２に設定されたモードに関するアイコン１１６、１１７、１１８を重ねて表示する場合、概観図１１２の中でもその装置により指示されたモードを実行する場所、あるいはモードが実行された後の結果物が得られる場所にアイコン１１６、１１７、１１８を表示させることで操作者に実行されるモード、および結果物が得られる場所を正確に伝える事が可能となる。
【０１０７】
さらにまた、後処理装置３４におけるモードが複数設定された場合、例えば図８（Ｂ）と図８（ｃ）にあるソートモードとステープルモードが同時に設定された時は、図８（Ｄ）にあるように複数の設定されたモードを１つのアイコン１１９であらわして概観図１１２の適切な位置に重ねて表示させることもできる。
【０１０８】
そして、アウトプットに関するモードの設定が完了すると、液晶表示部１００に表示されている装置３４の外観図１１２、および設定されたモードに関するアイコン１１６、１１７、１１８はそのままの状態で、デジタル複写機３０全体の外観図１０２に表示状態が復帰する（図９）。
【０１０９】
なお、アイコン１１６、１１７、１１８と共にデジタル複写機３０の外観図１０２が復帰すると述べているが、設定されたモードによっては、アイコン表示するまでもなくデジタル禎写機３０全体の外観図１０２に表示を復帰させることも可能である。また、他の実施例として、図１０にあるように、概観図１１２に設定された複数のモードのアイコン１１６、１１７、１１８を重ねて表示する場合、概観図１１２内にすべてのアイコン１１６、１１７、１１８を表示していくのではなく、複数の設定されたアイコン１１６、１１７、１１８の中でも関連するものは１つのアイコンにまとめて表示することも可能である。
【０１１０】
そして、さらにオフセットモードが設定された段階で、オフセットのアイコン１１８が概観図１１２の適切な位置に重ねて表示されるが、このときソートモードをあらわすアイコン１１６とステーブルモードをあらわすアイコン１１７が１つのアイコン１１９に置き換えられる。すなわち、複数のアイコンの中でも関連するアイコン１１６、１１７を１つのアイコン１１９に置き換えて、残りのアイコン１１８と同時に概観図１１２の適切な位置に重ねて表示させることができる。
【０１１１】
（用紙選択モード）
次に、デジタル複写機３０の外観図１０２の左側、および下側に現されている給紙装置の部分１０５が操作されると、図６（ｃ）に移行して給紙装置の選択、すなわち所望するサイズの用紙を給紙装置の複数ある給紙部の中から選択する設定画面となる。
【０１１２】
なお、この給紙装置の中から所望のサイズを選択する設定画面には、液晶表示部１００の左側中央に表示された用紙選択のキーを操作しても移行する。
【０１１３】
以下、図１１を用いて液晶表示部１００の画面遷移状態を順を追って説明する。
【０１１４】
待機状態にある操作パネル７５上の液晶表示画面（図１１（Ａ））が上記のように操作されると、用紙選択モードの設定画面（図１１（Ｂ））に移行して液晶表示部１００の略中央から右側にかけて、デジタル穣写機３０の給紙装置に装着されている給紙部の配置状態と同じように給紙部の選択キーが表示される。
【０１１５】
そしてこの表示されている選択キーの中から所望するサイズの用紙（例えばＡ３）を収容した給紙部を操作指示して確定すると、画面は図１１（Ｃ）へと切り換わり、選択されたＡ３サイズの用紙を収容した給紙部の表示が反転して給紙可能にある事を伝えている。
【０１１６】
この用紙選択モードにおいても、図１１から明らかなように、液晶表示部１００の略中央部に表示されているデジタル複写機全体の概観図１０２は、図１１（Ｂ）にあるように、一旦給紙部確定キー群により一部隠れていても、また、デジタル複写機全体の概観図１０２が再び表示される画面になっても、基本的に概観図１０２の液晶表示部１００における表示位置は同一場所であり、同一の形態で表示される。
【図面の簡単な説明】
【０１１７】
【図１】本発明における入力装置のタッチパネル部分の図である。
【図２】本発明の入力装置を備えたデジタル複写機の全体の構造を示す断面図である。
【図３】デジタル複写機の画像処理部における回路構成を示すブロック樺成図である。
【図４】デジタル複写機における入力装置を含めた画像処理及び記録材後処理にかかる全体の制御部ブロック構成図である。
【図５】デジタル複写機における操作パネル部分の一例を示す平面図である。
【図６】表示部の外観図を操作した場合の画面遷移図である。
【図７】両面モード設定時の画面遷移図である。
【図８】アウトプットモード設定時の画面遷移図である。
【図９】アウトプットモード設定時の画面遷移図である。
【図１０】アウトプットモード設定時の別の実施例の画面遷移図である。
【図１１】用紙設定時の画面遷移図である。
【符号の説明】
【０１１８】
１００  液晶表示部
１０１  タッチパネル
１０２  外観図
１０５  キー
１０６，１０７，１０８，１０９  モードキー
１１０  キー
１１１  アイコン
【図１】
2005065307.tif 000003
【図２】
2005065307.tif 000004
【図３】
2005065307.tif 000005
【図４】
2005065307.tif 000006
【図５】
2005065307.tif 000007
【図６】
2005065307.tif 000008
【図７】
2005065307.tif 000009
【図８】
2005065307.tif 000010
【図９】
2005065307.tif 000011
【図１０】
2005065307.tif 000012
【図１１】
2005065307.tif 000013